(57)【要約】【課題】従来、ＤＶＤ−Ｒのファイナライズを行うためにはユーザーが自らファイナライズをするという判断を行わなければならず、これを行わないでディスクを取り出すことにより他の機器で再生できないという問題が発生していた。これを改善するために記録時に自動的にファイナライズをするという方法が提案されたが、この方法ではディスク残量があるにも関わらずファイナライズをしてしまうという問題があった。【解決手段】ファイナライズされていないディスクを取り出すときに、自動的にファイナライズを勧める指示を表示することにより、ファイナライズする、しないを判断した上でディスクを取り出せるため、ファイナライズという概念を十分に理解していないユーザーもＤＶＤ−Ｒ規格の記録媒体を他の再生機器で再生することができるようにファイナライズするかしないかを判断することができる。【選択図】図１
2006344350.tif 000002
【特許請求の範囲】
【請求項１】
データを記録媒体に書き込むデータ記録装置であって、ユーザーから指示を入力されるユーザー入力手段、前記記録媒体取り出しの制御を行う記録媒体制御手段、前記記録媒体がファイナライズされたか否かを判別する判別手段、及び表示手段に情報を付加する画面情報付加手段を備え、前記ユーザー入力手段を通じて記録媒体取り出し指示があったときに前記判別手段で前記記録媒体がファイナライズされているかを判定し、ファイナライズされていなければ、前記画面情報付加手段がファイナライズを指示する情報を前記表示手段に表示するデータ記録装置。
【請求項２】
前記ファイナライズを指示する情報を前記表示手段に表示する表示時間を計測する時間計測手段をさらに備え、前記時間計測手段により計測した時間が一定時間を超えた場合に、前記記録媒体制御手段により前記記録媒体を取り出す請求項１に記載のデータ記録装置。
【請求項３】
前記判別手段は、前記記録媒体の残量も判別し、前記画面情報付加手段は前記判別手段で取得した前記記録媒体の残量を前記ファイナライズ指示情報と共に前記表示手段に付加する請求項１または請求項２に記載のデータ記録装置。
【請求項４】
前記画面情報付加手段は前記ファイナライズについての説明表示を前記ファイナライズ指示情報と共に表示手段に表示する請求項１または請求項２に記載のデータ記録装置。
【請求項５】
前記判別手段は前記記録媒体に前記データが記録されているか否かをさらに判別し、前記記録媒体に前記データが記録されており、前記記録媒体がファイナライズされていない場合にのみ、前記画面情報付加手段はファイナライズ指示情報を前記表示手段に表示する請求項１または請求項２に記載のデータ記録装置。
【請求項６】
前記ファイナライズ指示情報が表示手段に表示される間に、前記ユーザー入力手段で前記記録媒体の出力取り出し指示が入力された場合に、前記記録媒体がファイナライズされずに取り出される請求項１または請求項２に記載のデータ記録装置。
【請求項７】
前記データは映像及び／又は音声信号を含む請求項１または請求項２に記載のデータ記録装置。
【発明の詳細な説明】
【技術分野】
【０００１】
本発明は、データ記録装置に関し、もっと詳しくは、録画するためにＤＶＤ（デジタルバーサタイルディスク）などのディスクメディアを使用する装置に関する。
【背景技術】
【０００２】
近年、ＤＶＤ−ＲＡＭなどの光ディスクを用いた記録再生装置が普及しているが、この光ディスクの規格にはＤＶＤ−ＲＡＭのような記録された情報の書き換えが可能なリライタブル型と、ＤＶＤ−ＲやＤＶＤ＋Ｒのように一度記録すると消去することができないライトワンス型がある。
【０００３】
リライタブル型記録媒体においては、録画と消去を繰り返し行うことができるが、他機種との互換性が低い。一方ライトワンス型記録媒体のＤＶＤ−ＲやＤＶＤ＋Ｒでは一度しか記録できないが、他の機種との互換性が高く、ファイナライズ処理と呼ばれる書き込み終端処理を行うことにより、それ以上ディスクに記録することはできなくなるが、広く普及しているＤＶＤ再生装置（記録機能付きのＤＶＤレコーダーも含む）で再生可能になるという特徴がある。このためほぼすべてのＤＶＤ記録再生装置において、最も互換性のよいＤＶＤ−Ｒ規格による記録が行われている。
【０００４】
従来、このファイナライズ処理を行うには、１）ユーザーが自ら判断して行う方式や２）ディスクへの記録時に自動的にファイナライズ処理を行う（例えば、特許文献１参照。）方式が採用されていた。
【特許文献１】特開２００２−３２４３２１号公報
【発明の開示】
【発明が解決しようとする課題】
【０００５】
ところで、一般にファイナライズという概念は理解しにくく、この処理を行わないと、ＤＶＤプレーヤーなどの他の再生機器において再生をしようとしたときに、再生ができないという問題が発生していた。また、記録時に自動的にファイナライズする事ができる機器においては、ディスクの残量が十分あるにもかかわらずファイナライズを行うことにより追記ができなくなるという問題が発生していた。
【課題を解決するための手段】
【０００６】
この発明は、上記課題を解決するために、ディスクを取り出すときにディスクがファイナライズされているかどうかを判別し、ディスクがファイナライズされていない場合には表示画面にＧＵＩ（グラフィカルユーザーインターフェース）などを付加してユーザーからファイナライズを行うか否かの指示を受ける画面を表示する。またこのときファイナライズの説明や、ディスクの残量などの情報を提供し、ユーザーが自らファイナライズする、しないを判断できるようにする。さらに上記ＧＵＩに対してユーザーからファイナライズするか否かの指示が得られなかった場合、一実施形態では一定時間経過後にＧＵＩを消去し、ディスクを取り出せるようにする。一方、他の実施の形態では前記ＧＵＩを通じてユーザーからファイナライズ遂行与否に対する入力を受けなかった場合、ユーザーから再度ディスクを取り出すように指示されるとファイナライズを遂行せずディスクを取り出すことができる。
【０００７】
また、本発明によるデータ記録再生装置はデータを記録媒体に書き込むデータ記録装置であって、この装置はユーザーから指示を入力されるユーザー入力手段、前記記録媒体取り出しなどの制御を行う記録媒体制御手段、前記記録媒体がファイナライズされたか否かを判別する判別手段、及び表示手段に情報を付加する画面情報付加手段を備え、前記ユーザー入力手段を通じて記録媒体取り出し指示があったときに前記判別手段で前記記録媒体がファイナライズされているかを判定し、ファイナライズされていなければ、前記画面情報付加手段がファイナライズを指示する情報を前記表示手段に表示する。
【発明の効果】
【０００８】
以上のように、本発明によれば、ＤＶＤのファイナライズについて十分に理解していないユーザーでも、ディスクを取り出す前にファイナライズをする、しないかの判断ができるため、ＤＶＤプレーヤーなどの他機種で再生しようとして再生できないと言う問題を解決することが可能となる。
【発明を実施するための最良の形態】
【０００９】
以下、本発明の実施形態について、図面を用いて説明する。
【００１０】
（実施の形態）
図１は本発明によるデータ記録再生装置の一実施形態を示す構成図である。本発明の実施の形態によるデータ記録再生装置は映像／音声などのデータ入力手段１０、記録手段２０、ディスク制御手段３０、再生手段５０、情報付加手段６０、表示手段７０、システム制御手段８０、ディスク判別手段９０、時間計測手段１００、及びユーザー入力手段１１０から構成される。本実施の形態によるデータ記録再生装置は外部記録媒体として様々なＤＶＤメディアを記録再生できる装置を全て含むが、以下では、ＤＶＤ−Ｒ、ＤＶＤ＋Ｒなどのライトワンス型の光ディスクを中心に説明する。
【００１１】
まず、映像／音声などのデータを記録する場合の動作について説明する。ユーザー入力手段１１０がユーザーからデータを記録するように指示される場合、システム制御手段８０がその指示を解釈し、当該手段にデータを記録するための制御信号を出力する。そして、映像／音声入力手段１０を通じて入力された映像および音声などのデータは記録手段２０により圧縮処理が行われ、ディスク制御手段３０によりＤＶＤ−Ｒ、ＤＶＤ＋Ｒなどの記録媒体４０に書き込まれる。続いて記録媒体４０に記録されたデータを再生する場合の動作について説明する。ユーザー入力手段１１０がユーザーからデータを再生するように指示を入力されると、システム制御手段８０が当該手段に対してデータを再生するための制御信号を出力する。それで、ディスク制御手段３０が、記録媒体４０からデータを読み取り再生手段５０に提供し、再生手段５０は圧縮されているデータをデコードし、情報付加手段６０を通じて再生データの表示画面に情報を付加して重畳された表示画面を表示手段７０に出力する。このとき、必要に応じて、情報付加手段６０により情報を付加し、再生データに重畳して表示手段７０に表示することが可能である。
【００１２】
次に、図１とデータ記録再生装置の動作の一実施形態を示した図２により、ディスクをとりだそうとしたときのこの実施形態での処理動作の流れについて説明する。
【００１３】
ユーザーからディスク出力取り出し指示を入力されたときには（Ｓ２００）、システム制御手段８０はディスク制御手段３０へ記録媒体４０、即ちディスクを取り出すようにする制御信号を出力する前に、ディスク判別手段８０で記録媒体４０がファイナライズされているかどうかを判別するようにする（Ｓ２０１）。即ち、ディスク判別手段９０はディスク制御手段３０が記録媒体４０から読み取ったディスク内部の情報を基に記録媒体４０がファイナライズされているか否かを判別する。記録媒体４０がファイナライズされているか否かを判断するためのディスク内部の情報はＤＶＤビデオディスクの論理データ構造（例えば、ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３；Ｖｅｒｓｉｏｎ１．０参照）においてＶＭＧ（Ｖｉｄｅｏ  Ｍａｎａｇｅｒ）の存在与否になることができる。ここでＶＭＧとは、ＤＶＤディスクを構成する記憶装置部分のうちＤＶＤ  Ｖｉｄｅｏ  Ｚｏｎｅに含まれる情報であって、記録されているデータに対する著作権情報、複製許容に関する情報及び言語コードなどに関する情報が含まれている。ＶＭＧが存在すればファイナライズ処理が既に完了されたことを意味し、ＶＭＧが存在しなければファイナライズ処理が遂行されていないことを意味する。
【００１４】
Ｓ２０１でファイナライズされているか否かを判断した結果、ファイナライズが既に行われた場合には（Ｓ２０１のＹＥＳ）、システム制御手段８０はディスク制御手段３０でトレーを開放しディスク４０を取り出すようにする（Ｓ２０７）。一方、ファイナライズが行われていないときにはシステム制御手段８０は情報付加手段６０により表示手段７０に表示される表示画面にファイナライズを遂行するか否かを問う情報を付加するようにする（Ｓ２０２）。このときのファイナライズ指示情報を示す画面の一例を図４に示す。この画面には、ユーザーがファイナライズするかしないかを判断することができるように、ファイナライズの意味や、ファイナライズしなかった場合に、追加記録を行うことができる記録媒体の残量などの情報を共に表示できる。
【００１５】
続いて、このファイナライズ指示画面により、システム制御手段８０はユーザー入力手段１１０を通じてユーザーからファイナライズに対する指示の入力があったかどうかを判断し（Ｓ２０３）、ファイナライズに対するユーザーの指示がある場合（Ｓ２０３のＹＥＳ）、ユーザーの指示がファイナライズを遂行することかを判断する（Ｓ２０５）。ユーザーがファイナライズを遂行しないように指示した場合（Ｓ２０５のＮＯ）、システム制御手段８０はファイナライズ処理を行わずディスク制御手段３０を通じてトレーを開放しディスクを取り出す（Ｓ２０７）。一方、ユーザーがファイナライズを遂行するように指示した場合（Ｓ２０５のＹＥＳ）にはシステム制御手段８０はディスク制御手段３０によりディスク４０のファイナライズを遂行し（Ｓ２０６）トレーを開放してディスク４０を取り出す（Ｓ２０７）。一方、Ｓ２０３でユーザーからファイナライズに対する指示入力が無い場合には（Ｓ２０３のＮＯ）、システム制御手段８０がファイナライズ入力待ちの画面を表示したまま止まる可能性がある。この状態を回避するために、システム制御手段８０は図１の時間計測手段１００によりファイナライズを指示する情報が表示画面に表示される表示した時（Ｓ２０２）から時間を計測し、一定時間が経過する前なら（Ｓ２０４のＮＯ）ユーザーからファイナライズに対する指示の入力を待機する。一方、一定時間が経過した場合には（Ｓ２０４のＹＥＳ）、自動的にＧＵＩを消去してディスクを取り出せるようにする。時間計測手段１００が表示時間計測をする過程は例えば次のようである。システム制御手段８０が情報付加手段６０に対してファイナライズ指示のためのＧＵＩを表示画面に付加するように指示しながら、時間計測手段１００に対して表示時間計測を開始するように指示する。時間計測手段１００は一定時間が経過した後システム制御手段８０に一定時間が経過したことを知らせる。この場合、システム制御手段８０は情報付加手段６０に対してファイナライズ指示のためのＧＵＩの標示を表示画面に表示することを中断するように指示しトレーを開放して記録媒体４０を出力取り出せるようにする。
【００１６】
図３にはデータ記録再生装置がディスクを取り出す時に遂行される処理動作の他の実施の形態が示されてある。図３の実施の形態はディスク判別手段９０が、記録媒体４０がファイナライズされているか否かを判別し（Ｓ３０１）、ファイナライズ処理が既に行われている場合（Ｓ３０１のＹＥＳ）、トレーを開放しディスク４０を取り出す（Ｓ３０８）。一方、ファイナライズ処理が行われていない場合（Ｓ３０１のＮＯ）にはディスク判別手段９０が記録媒体４０にデータが記録されているかを判断する段階Ｓ３０２を追加的に遂行する。記録媒体４０にデータが記録されていなければ（Ｓ３０２のＮＯ）、システム制御手段８０はトレーを開放してディスクを取り出し、記録媒体４０にデータが記録されてあれば（Ｓ３０２のＹＥＳ）システム制御手段８０は情報付加手段６０により表示手段７０にファイナライズを遂行するか否かを問うＧＵＩを表示する（Ｓ３０３）。ユーザーからファイナライズに対するなんの指示もない場合（Ｓ３０４のＮＯ）、システム制御手段８０はユーザーから再度ディスクを取り出すように指示されたかの与否を判断する（Ｓ３０６）、再度ディスクを取り出すように指示されなければ（Ｓ３０６のＮＯ）Ｓ３０４段階に戻りユーザーのファイナライズ指示の入力を待ち、再度ディスクを取り出すように指示されたら（Ｓ３０６のＹＥＳ）ファイナライズを遂行せず、トレーを開放してディスクを取り出す（Ｓ３０８）。ここで説明した段階を除外した他の段階Ｓ３００、Ｓ３０５、Ｓ３０７及びＳ３０８は図２に示された実施の形態のＳ２００、Ｓ２０５、Ｓ２０６及びＳ２０７と同じである。
【００１７】
ここまでデータ記録再生装置を中心に説明したが、本発明はデータ記録のみをする装置にも適用されることができるということは当業者において自明なことである。
【産業上の利用可能性】
【００１８】
本発明は、データ記録装置に関し、録画するためにＤＶＤなどのディスクメディアを使用する装置に適用できる。
【図面の簡単な説明】
【００１９】
【図１】本発明の実施の形態によるデータ記録装置の構成を示すブロック図
【図２】本発明の一実施形態によるデータ記録装置がディスクイジェクト処理を遂行する過程を示すフローチャート
【図３】本発明の他の実施の形態によるデータ記録装置がディスクイジェクト処理を遂行する過程を示すフローチャート
【図４】本発明の一実施形態によるデータ記録装置がディスクイジェクト時に表示するＧＵＩ画面の例を表した図
【符号の説明】
【００２０】
１０    映像／音声入力手段
２０    記録手段
３０    ディスク制御手段
４０    記録媒体
５０    再生手段
６０    情報付加手段
７０    表示手段
８０    システム制御手段
９０    ディスク判別手段
１００    時間計測手段
【図１】
2006344350.tif 000003
【図２】
2006344350.tif 000004
【図３】
2006344350.tif 000005
【図４】
2006344350.tif 000006